(57)【要約】      （修正有）【課題】測定によるバイタルデータと被験者との紐付けを適切に行う測定システムを提供する。【解決手段】測定システム１において、測定機１０は、被験者に装着されているか否かを検出し、センサ値を出力するセンサ１１と、被験者のバイタルデータを測定する測定部１２と、センサ１１が出力したセンサ値と、測定部１２が測定したバイタルデータとを管理サーバ２０に送信する送信部１３とを備え、管理サーバ２０は、送信部１３が送信したセンサ値とバイタルデータとを受信する受信部２１と、測定機１０が被験者に装着されていることを、受信部２１が受信したセンサ値が示す場合に、測定機１０を装着している被験者を示す識別情報の入力を待ち受ける入力部２２と、入力部２２が識別情報の入力を受けたとき、受信部２１が受信したバイタルデータを、入力部２２が入力を受けた識別情報により示される被験者のバイタルデータとして登録する登録部２４とを備える。【選択図】図２
2018134220.tif 000002
【特許請求の範囲】
【請求項１】
測定機と管理サーバとを備える測定システムであって、
前記測定機は、
前記測定機が被験者に装着されているか否かを検出し、装着されているか否かを示すセンサ値を出力するセンサと、
前記被験者のバイタルデータを測定する測定部と、
前記センサが出力した前記センサ値と、前記測定部が測定した前記バイタルデータとを前記管理サーバに送信する送信部とを備え、
前記管理サーバは、
前記送信部が送信した前記センサ値と前記バイタルデータとを受信する受信部と、
前記測定機が前記被験者に装着されていることを、前記受信部が受信した前記センサ値が示す場合に、前記測定機を装着している被験者を示す識別情報の入力を待ち受ける入力部と、
前記入力部が前記識別情報の入力を受けたとき、前記受信部が受信した前記バイタルデータを、前記入力部が入力を受けた前記識別情報により示される前記被験者のバイタルデータとして登録する登録部とを備える
測定システム。
【請求項２】
前記入力部は、
表示部を有し、
前記識別情報の入力を待ち受ける際に、前記識別情報が入力される入力欄を前記表示部に表示し、表示した前記入力欄に対する前記識別情報の入力を受けるまで待機する
請求項１に記載の測定システム。
【請求項３】
前記登録部は、さらに、
前記入力部が前記識別情報の入力を待ち受けているときに、前記受信部が受信した新たなセンサ値が、前記測定機が前記被験者に装着されていないことを示す場合に、前記受信部が受信した前記バイタルデータを破棄する
請求項１又は２に記載の測定システム。
【請求項４】
前記登録部は、
前記入力部が前記識別情報の入力を受けた後に、前記受信部が受信した新たなセンサ値が、前記測定機が前記被験者に装着されていないことを示す場合に、前記受信部が受信した前記バイタルデータを登録する
請求項１〜３のいずれか１項に記載の測定システム。
【請求項５】
前記測定システムは、複数の前記測定機を備え、
複数の前記測定機の前記送信部は、
当該測定機の識別子を、前記センサ値と前記バイタルデータとともに前記管理サーバに送信し、
前記受信部は、複数の前記測定機の前記送信部が送信した前記センサ値と前記バイタルデータと前記識別子とを受信し、
前記入力部は、
前記識別情報の入力を待ち受ける際に、前記識別情報が入力される入力欄に対応付けて前記識別子を前記表示部に表示する
請求項２に記載の測定システム。
【請求項６】
前記測定機は、さらに、前記被験者の固有情報を取得する固有情報取得部を備え、
前記送信部は、前記固有情報取得部が取得した前記固有情報を、前記センサ値と前記バイタルデータとともに前記管理サーバに送信し、
前記受信部は、前記センサ値と前記バイタルデータとともに、前記固有情報を受信し、
前記管理サーバは、さらに、
前記受信部が受信した前記固有情報から被験者を示す識別情報を生成し、生成した識別情報を前記入力部に提供する識別情報生成部とを備える
請求項１〜５のいずれか１項に記載の測定システム。
【請求項７】
測定機と管理サーバとを備える測定システムの制御方法であって、
前記測定機により、前記測定機が被験者に装着されているか否かを検出し、装着されているか否かを示すセンサ値を出力する出力ステップと、
前記測定機により、前記被験者のバイタルデータを測定する測定ステップと、
前記測定機により、前記出力ステップで出力された前記センサ値と、前記測定ステップで測定された前記バイタルデータとを前記管理サーバに送信する送信ステップと、
前記管理サーバにより、前記送信ステップで送信された前記センサ値と前記バイタルデータとを受信する受信ステップと、
前記測定機が前記被験者に装着されていることを、前記受信ステップで受信した前記センサ値が示す場合に、前記測定機を装着している被験者を示す識別情報の入力を待ち受ける入力ステップと、
前記入力ステップで前記識別情報の入力を受けたとき、前記受信ステップで受信した前記バイタルデータを、前記入力ステップで入力を受けた前記識別情報により示される前記被験者のバイタルデータとして登録する登録ステップとを含む
制御方法。
【発明の詳細な説明】
【技術分野】
【０００１】
本発明は、測定システム、及び、測定システムの制御方法に関する。
【背景技術】
【０００２】
介護施設又は病院では、複数の要介護者又は患者のバイタルデータ（具体的には、体温、血圧、脈拍、又は、呼吸数など）を予め定められた時間内に測定することが行われている。
【０００３】
特許文献１は、バイタルデータを測定する機能を有するシャツを用いて脈拍データを管理する監視システムを開示している。この監視システムでは、上記シャツを被験者それぞれが着用することを要する。
【先行技術文献】
【特許文献】
【０００４】
【特許文献１】特開２０１１−５０６４１号公報
【発明の概要】
【発明が解決しようとする課題】
【０００５】
特許文献１に記載の技術では、バイタルデータを測定する機能を有するシャツが被験者の数と同じ数だけ必要である。一般には、要介護者等の数よりバイタルデータの測定機の数が少ないことも多く、その場合、測定機を使い回して順番に複数の要介護者等のバイタルデータが取得される。この場合、測定により得られたバイタルデータがどの要介護者のものであるかが不明確になるなどの不都合が生じ得る。その結果、バイタルデータの再測定をするとすれば測定機の消費電力の増大を招くという問題がある。
【０００６】
本発明は、測定により得られたバイタルデータと被験者との紐付けを適切に行う測定システム等を提供することを目的とする。
【課題を解決するための手段】
【０００７】
上記目的を達成するために、本発明の一態様に係る測定システムは、測定機と管理サーバとを備える測定システムであって、前記測定機は、前記測定機が被験者に装着されているか否かを検出し、装着されているか否かを示すセンサ値を出力するセンサと、前記被験者のバイタルデータを測定する測定部と、前記センサが出力した前記センサ値と、前記測定部が測定した前記バイタルデータとを前記管理サーバに送信する送信部とを備え、前記管理サーバは、前記送信部が送信した前記センサ値と前記バイタルデータとを受信する受信部と、前記測定機が前記被験者に装着されていることを、前記受信部が受信した前記センサ値が示す場合に、前記測定機を装着している被験者を示す識別情報の入力を待ち受ける入力部と、前記入力部が前記識別情報の入力を受けたとき、前記受信部が受信した前記バイタルデータを、前記入力部が入力を受けた前記識別情報により示される前記被験者のバイタルデータとして登録する登録部とを備える。
【発明の効果】
【０００８】
本発明の測定システムは、測定により得られたバイタルデータと被験者との紐付けを適切に行うことができる。
【図面の簡単な説明】
【０００９】
【図１】実施の形態に係る測定システムの全体構成を示す模式図である。
【図２】実施の形態に係る測定システムの機能構成を示すブロック図である。
【図３】実施の形態に係る測定システムの測定機の外観図である。
【図４】実施の形態に係る測定機が管理サーバに送信する通信パケットの一例を示す説明図である。
【図５】実施の形態に係る表示部が表示する画像の一例を示す説明図である。
【図６】実施の形態に係る管理サーバが管理するバイタルデータの一例を示す説明図である。
【図７】実施の形態に係る測定機の処理を示すフロー図である。
【図８】実施の形態に係る管理サーバの処理を示すフロー図である。
【図９】実施の形態に係る測定システムによるバイタルデータの取得の流れを示す第一の模式図である。
【図１０】実施の形態に係る測定システムによるバイタルデータの取得の流れを示す第二の模式図である。
【図１１】実施の形態の変形例に係る測定システムの機能構成を示すブロック図である。
【図１２】実施の形態の変形例に係る個人ＩＤ生成部の処理を示すフロー図である。
【発明を実施するための形態】
【００１０】
以下、本実施の形態に係る測定システムについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置、及び、接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１１】
（実施の形態）
本実施の形態において、測定により得られたバイタルデータと被験者との紐付けを適切に行う測定システムなどについて説明する。
【００１２】
図１は、本実施の形態に係る測定システム１の全体構成を示す模式図である。
【００１３】
図１に示されるように、測定システム１は、測定機１０と、管理サーバ２０とを備える。測定機１０と管理サーバ２０とは、ネットワーク３０で通信可能に接続されている。なお、被験者Ｕは、測定システム１に含まれない。
【００１４】
測定システム１は、管理スタッフが被験者Ｕのバイタルデータを測定するために用いられるシステムである。
【００１５】
測定機１０は、被験者Ｕのバイタルデータを測定する測定機である。測定機１０は、測定により取得した被験者Ｕのバイタルデータを、通信インタフェースによりネットワーク３０を介して管理サーバ２０に送信する。測定機１０は、例えば、腕輪型のバイタルデータ測定機であり、被験者Ｕのバイタルデータである体温、血圧又は脈拍等を取得する。
【００１６】
管理サーバ２０は、測定機１０が測定により取得した被験者Ｕのバイタルデータを管理するサーバである。管理サーバ２０は、測定機１０からネットワーク３０を介してバイタルデータを受信し、受信したバイタルデータを被験者Ｕの識別情報である個人ＩＤと紐付けて登録する。また、管理サーバ２０は、測定機１０からバイタルデータを受信するたびに、上記の登録を行い、被験者Ｕのバイタルデータを蓄積する。蓄積されたバイタルデータは、のちに管理スタッフなどにより参照されて、被験者Ｕの健康管理などに役立てられる。なお、被験者Ｕの個人ＩＤとは、複数の被験者Ｕが存在するときに、一の被験者Ｕを他の被験者Ｕと識別し得る情報であり、具体的には、氏名、生年月日などの情報を採用したり、予め被験者Ｕに設定されている通し番号を採用したりすることができる。ただし、氏名や生年月日を用いる場合には、同一の氏名や生年月日を有する被験者Ｕを区別し得る記号などを付加する工夫を要する。
【００１７】
管理サーバ２０におけるバイタルデータと被験者Ｕの個人ＩＤとの紐付けは、管理スタッフによるデータ入力により行われる。すなわち、管理スタッフＭは、被験者Ｕが装着している測定機１０を視認し、測定機１０のラベルに書かれた識別子である機器ＩＤにバイタルデータを対応させてデータ入力をする。このとき、管理スタッフが他の事象に気を取られていたり、記憶違いをすることにより、データ入力を誤ったり、データ入力を失念したりすること、つまり、バイタルデータと被験者Ｕとの紐付けが不適切になることがあり得る。
【００１８】
そこで、本実施の形態において、測定により得られたバイタルデータと被験者との紐付けを適切に行う測定システム１について説明する。
【００１９】
図２は、本実施の形態に係る測定システム１の機能構成を示すブロック図である。図３は、本実施の形態に係る測定システム１の測定機１０の外観図である。
【００２０】
図２に示されるように、測定システム１は、測定機１０と管理サーバ２０とを備える。なお、図２に示される管理スタッフＭは、測定システム１に含まれない。
【００２１】
測定機１０は、センサ１１と、測定部１２と、送信部１３と、ラベル１４とを備える。
【００２２】
センサ１１は、被験者Ｕに装着されているか否かを検出するセンサである。センサ１１は、例えば、圧力センサ、接触センサ又は温度センサなどである。圧力センサは、被験者Ｕの身体から受ける圧力によって被験者Ｕに装着されていることを検出し得る。接触センサは、被験者Ｕの身体の接触によって被験者Ｕに装着されていることを検出し得る。温度センサは、被験者Ｕの身体の体温が伝えられることで被験者Ｕに装着されていることを検出し得る。測定機１０が腕輪型のバイタルデータ測定機である場合、測定機１０は、被験者Ｕの身体に触れる内側面に配置されていると、被験者Ｕに装着されているか否かをより正確に検出できる利点がある（図３参照）。センサ１１による検出の時間間隔は、被験者Ｕが測定機１０を装着しているか否かがおおよそリアルタイムに検出される時間に定められ、例えば、１秒程度以内の時間に定められる。
【００２３】
測定部１２は、バイタルデータを測定する測定部である。測定部１２は、各種センサ等を用いて被験者Ｕのバイタルデータである体温、血圧又は脈拍等を取得する。なお、以降では、測定部１２がバイタルデータとして体温を取得する場合を例として説明する。
【００２４】
送信部１３は、センサ１１が出力したセンサ値と、測定部１２が測定したバイタルデータとを管理サーバ２０に送信する処理部である。送信部１３は、上記センサ値などを含む通信パケットを生成し、生成した通信パケットを通信インタフェースを用いてネットワーク３０を介して管理サーバ２０に送信する。送信部１３は、上記センサ値又はバイタルデータが提供されるたびに、上記センサ値又はバイタルデータを管理サーバ２０に送信する。
【００２５】
なお、測定システム１内で複数の測定機１０が使用されることが想定される場合には、上記通信パケットに測定機１０の機器ＩＤも含められる。
【００２６】
通信インタフェースは、有線通信インタフェース（例えばＩＥＥＥ８０２．３準拠）でも無線通信インタフェース（例えばＩＥＥＥ８０２．１１ａ、ｂ、ｇ準拠）でもよいが、無線通信インタフェースを採用すれば、測定機１０が通信線に引きずられたり、通信線が絡み合ったりすることによる不都合を回避することができる利点がある。
【００２７】
ラベル１４は、測定機１０が複数存在する場合に、一の測定機１０を他の測定機１０から識別し得る識別子である機器ＩＤ（図３では「Ａ」）が記載されている。機器ＩＤは、アルファベットに限定されず、数字、文字、記号、図形などいずれであってもよい。数字又は文字を採用すれば、のちにデータとして扱いやすいという利点がある。また、親しみやすい動物（犬、猫、又は、うさぎなど）、又は、物体（太陽、月など）を模した図形を採用すれば、被験者Ｕが親しみの気持ちをもって測定機１０を使用することができる利点がある。
【００２８】
管理サーバ２０は、受信部２１と、入力部２２と、表示部２３と、登録部２４とを備える。
【００２９】
受信部２１は、測定機１０の送信部１３が送信したセンサ値とバイタルデータとを受信する処理部である。受信部２１は、上記センサ値などを含む通信パケットを、通信インタフェースを用いてネットワーク３０を介して測定機１０から受信する。
【００３０】
入力部２２は、測定機１０が被験者Ｕに装着されていることを、受信部２１が受信したセンサ値が示す場合に、測定機１０を装着している被験者Ｕを示す識別情報（個人ＩＤ）の入力を待ち受ける処理部である。入力部２２は、センサ値に基づいて被験者Ｕが測定機１０を装着していると判断されている時に、測定機１０を装着している被験者Ｕの個人ＩＤの入力がなされることを待ち受ける。被験者Ｕの個人ＩＤの入力は、管理スタッフＭによりなされる。入力部２２がこのように被験者Ｕの個人ＩＤの入力を待ち受けることで、管理スタッフＭは、被験者Ｕの個人ＩＤの入力をしなければならないという動機付けを得る。これにより、バイタルデータと被験者Ｕとの紐付けがより適切になされる。入力部２２は、例えば、タッチパネルディスプレイのタッチパネル部分に相当する。
【００３１】
表示部２３は、画像を表示する表示装置である。表示部２３は、管理サーバ２０と一体に形成されたものであってもよいし、管理サーバ２０とは別個に設けられ管理サーバ２０に接続されたものでもよい。表示部２３は、例えば、タッチパネルディスプレイのディスプレイ部分に相当する。
【００３２】
登録部２４は、入力部２２が個人ＩＤの入力を受けたとき、受信部２１が受信したバイタルデータを、入力部２２が入力を受けた個人ＩＤにより示される被験者Ｕのバイタルデータとして登録する処理部である。登録部２４は、バイタルデータが取得された被験者Ｕに測定機１０が装着されている状態で、当該被験者Ｕの個人ＩＤが入力部２２に入力された場合に、測定機１０が取得したバイタルデータがこの被験者Ｕから取得されたものであるとして登録する。なお、登録のトリガは、個人ＩＤが入力部２２に入力されたことを明示する入力操作（例えば、キーボードのエンターキーの押下、表示部２３に表示される登録ボタンに対するタッチ操作）などによりなされてもよい。
【００３３】
ここで、入力部２２は、個人ＩＤの入力を待ち受ける際に、個人ＩＤが入力される入力欄を表示部２３に表示し、表示した入力欄に対する個人ＩＤの入力を受けるまで待機する。このようにすることで、測定システム１は、被験者Ｕのバイタルデータの測定がなされた後に、管理スタッフＭが被験者Ｕの個人ＩＤを入力しなければ、その先の作業に進めない状況を作り出す。そこで、管理スタッフＭは、被験者Ｕの個人ＩＤを入力部２２に入力することによって、登録部２４によるバイタルデータの登録をさせ、次の被験者Ｕのバイタルデータの取得に進む。このようにして、測定システム１は、バイタルデータと被験者Ｕとの紐付けをより適切に行うことができる。
【００３４】
なお、入力部２２は、測定システム１において複数の測定機１０が使用されることが想定される場合、個人ＩＤの入力を待ち受ける際に、個人ＩＤが入力される入力欄に対応付けて当該測定機１０の機器ＩＤを表示部２３に表示してもよい。これにより、複数の測定機１０の使用が想定される場合に、測定機１０を取り違えることなく当該測定機１０により測定された被験者Ｕを特定し、その被験者Ｕのバイタルデータを登録することができる。
【００３５】
なお、登録部２４は、さらに、入力部２２が個人ＩＤの入力を待ち受けているときに、受信部２１が受信した新たなセンサ値が、測定機１０が被験者Ｕに装着されていないことを示す場合に、受信部２１が受信したバイタルデータを破棄してもよい。個人ＩＤの入力待ちのときに個人ＩＤが入力されずに測定機１０が被験者Ｕから取り外された場合、バイタルデータがどの被験者Ｕから取得されたものであるかが不明確になる。そこで、この場合には、登録部２４は、取得したバイタルデータを登録することなく破棄することで、適切な対応付けが不可能になったバイタルデータを処分する。
【００３６】
なお、登録部２４は、入力部２２が個人ＩＤの入力を受けた後に、受信部２１が受信した新たなセンサ値が、測定機１０が被験者Ｕに装着されていないことを示す場合に、受信部２１が受信したバイタルデータを登録してもよい。このようにすることで、登録部２４は、管理スタッフＭによる明示的な入力操作を省くことができる利点がある。
【００３７】
なお、測定部１２、送信部１３、受信部２１、入力部２２、登録部２４などの機能の一部又は全部は、プロセッサが所定のプログラムを実行することで実現されてもよいし、専用ハードウェアによって実現されてもよい。
【００３８】
図４は、本実施の形態に係る測定機１０が管理サーバ２０に送信する通信パケット４０の一例を示す説明図である。通信パケット４０は、送信部１３がセンサ値及びバイタルデータ等を送信する際に用いる通信パケットの一例である。
【００３９】
図４に示されるように、通信パケット４０は、機器ＩＤ４１と、体温データ４２と、装着フラグ４３とを含む。
【００４０】
機器ＩＤ４１は、測定機１０の識別子である。機器ＩＤ４１は、測定システム１内に測定機１０が複数存在する場合に、一の測定機１０を他の測定機１０から識別し得る情報である。機器ＩＤ４１には、通信パケット４０の送信元である測定機１０のラベル１４に記載された機器ＩＤと同一の機器ＩＤ（例えば、「Ａ」）が記載される。なお、機器ＩＤ４１は、測定システム１内で１個だけの測定機１０が使用される想定の場合には不要である。
【００４１】
体温データ４２は、測定機１０により取得された被験者Ｕの体温を示すデータである。体温データ４２は、通信パケット４０の送信元である測定機１０の測定部１２が取得した体温の値（例えば、３６．６℃）が記載される。なお、体温データ４２は、測定部１２が体温のデータを提供しないときには含まれない。
【００４２】
装着フラグ４３は、測定機１０が被験者Ｕに装着されているか否かを示すフラグである。装着フラグ４３は、測定機１０が被験者Ｕに装着されていることをセンサ１１のセンサ値が示すときに「ＯＮ」と、装着されていないことを示すときに「ＯＦＦ」とそれぞれ記載される。ただし、フラグの表現方法は、上記に限定されず、「１」及び「０」などであってもよい。なお、装着フラグ４３は、センサ１１がセンサ値を提供しないときには含まれない。
【００４３】
このように、通信パケット４０に含まれる情報の有無は、体温データ及びセンサ値の取得状況によって変化するが、体温データ４２及び装着フラグ４３の少なくとも一方を含む。
【００４４】
図５は、本実施の形態に係る表示部２３が表示する画像の一例を示す説明図である。図５に示される画像は、入力部２２が被験者Ｕの個人ＩＤの入力を待ち受ける際に表示部２３が表示する画像の一例である。この画像は、被験者Ｕの個人ＩＤを入力すべき管理スタッフＭが視認することが想定される。
【００４５】
この画像には、機器ＩＤ５０と、入力欄５２と、表示欄５３とが含まれる。
【００４６】
機器ＩＤ５０は、測定機１０の識別子を示す。画像に機器ＩＤ５０が含まれていることで、管理スタッフＭは、機器ＩＤ５０に示される機器ＩＤを有する測定機１０を装着した被験者Ｕの個人ＩＤを入力すべきであることを認識する。具体的にいえば、機器ＩＤ５０に「Ａ」と表示されていれば、管理スタッフＭは、ラベル１４として「Ａ」と記載された測定機１０を装着している被験者Ｕの個人ＩＤを入力すべきであることを認識する。なお、機器ＩＤ５０は、測定システム１内で１個だけの測定機１０が使用される想定の場合には不要である。
【００４７】
入力欄５２は、被験者Ｕの個人ＩＤの入力を受けるための入力欄である。管理スタッフＭは、キーボード又はタッチパネルなどの入力デバイスを利用して、ラベル１４として「Ａ」と記載された測定機１０を装着している被験者Ｕの個人ＩＤを入力欄５２に入力する。
【００４８】
表示欄５３は、体温データを表示するための表示欄である。表示欄５３に表示される体温データは、入力欄５２に入力される被験者Ｕの個人ＩＤと紐付けられて登録される体温データである。なお、表示欄５３は、被験者Ｕの体温データが計測中であるときには、その旨を示す表示をしてもよい。
【００４９】
図６は、本実施の形態に係る管理サーバ２０が管理するバイタルデータの履歴テーブル（以降、データテーブルともいう）の一例を示す説明図である。
【００５０】
図６に示されるように、管理サーバ２０は、被験者Ｕの個人ＩＤと体温のデータとを紐付けて登録する。体温のデータは、個人ＩＤごと、時間ごと、又は、日にちごとに時系列で管理されていてもよい。
【００５１】
管理スタッフＭは、例えば、管理サーバ２０に登録されている各被験者Ｕの体温のデータの推移を見ることで、被験者Ｕの体調不良を見つけることができる。
【００５２】
以上のように構成された測定システム１の処理について説明する。
【００５３】
図７は、本実施の形態に係る測定機１０の処理を示すフロー図である。
【００５４】
ステップＳ１０１において、センサ１１は、測定機１０が被験者Ｕに装着されているか否かを検出する。測定機１０が装着されていることを検出した場合（ステップＳ１０１でＹｅｓ）には、ステップＳ１０２に進み、そうでない場合（ステップＳ１０１でＮｏ）にはステップＳ１１１に進む。
【００５５】
ステップＳ１０２において、送信部１３は、管理サーバ２０に送信すべき通信パケット４０を生成し、生成した通信パケット４０の装着フラグ４３をＯＮにセットする。
【００５６】
ステップＳ１１１において、送信部１３は、管理サーバ２０に送信すべき通信パケット４０を生成し、生成した通信パケット４０の装着フラグ４３をＯＦＦにセットする。
【００５７】
ステップＳ１０３において、測定部１２は、測定により被験者Ｕの体温データを取得したか否かを判定する。被験者Ｕの体温データを取得した場合（ステップＳ１０３でＹｅｓ）には、ステップＳ１０４に進み、そうでない場合（ステップＳ１０３でＮｏ）には、ステップＳ１０５に進む。
【００５８】
ステップＳ１０４において、送信部１３は、ステップＳ１０３で取得した体温データを、体温データ４２として、送信すべき通信パケット４０に格納する。
【００５９】
ステップＳ１０５において、送信部１３は、ネットワーク３０を介して通信パケット４０を送信する。
【００６０】
上記一連の流れにより、測定機１０の送信部１３は、装着フラグ４３及び体温データ４２の少なくとも一方を含む通信パケット４０を管理サーバ２０に送信する。なお、測定システム１内で複数の測定機１０が使用されることが想定される場合には、さらに、機器ＩＤ４１が通信パケット４０に含められて送信される。
【００６１】
図８は、本実施の形態に係る管理サーバ２０の処理を示すフロー図である。
【００６２】
ステップＳ２０１において、受信部２１は、測定機１０から通信パケット４０を受信する。受信する通信パケット４０は、測定機１０がステップＳ１０５で送信した通信パケット４０である。
【００６３】
ステップＳ２０２において、受信部２１は、ステップＳ２０１で受信した通信パケット４０の装着フラグ４３がＯＮであるか否かを判定する。装着フラグ４３がＯＮである場合（Ｓ２０２でＹｅｓ）、ステップＳ２０３に進み、そうでない場合（Ｓ２０２でＮｏ）、ステップＳ２１１に進む。
【００６４】
ステップＳ２０３において、入力部２２は、表示部２３に入力欄５２及び表示欄５３を表示し、個人ＩＤの入力を待ち受ける。
【００６５】
ステップＳ２０４において、入力部２２は、個人ＩＤの入力を受ける。ステップＳ２０４の処理を終えたら、管理サーバ２０は、再びステップＳ２０１の処理を実行する。なお、この時点で、個人ＩＤと体温データとを紐付けてデータテーブルに登録することがなされてもよいし、なされなくてもよい。なされない場合には、後述するステップＳ２１３で上記登録がなされる。
【００６６】
ステップＳ２１１において、入力部２２は、入力欄５２を消去する。このとき、測定機１０が被験者Ｕに装着されていない、言い換えれば被験者Ｕから取り外されているので、体温データがどの被験者Ｕから取得されたのかが明確でない。そこで、入力部２２は、被験者Ｕの個人ＩＤの入力を受けることを回避するため入力欄５２を消去する。これにより、被験者Ｕとバイタルデータとが不適切に紐付けされることが回避される。
【００６７】
ステップＳ２１２において、入力部２２は、個人ＩＤが既に入力されているか否かを判定する。本ステップにおいて個人ＩＤが既に入力されていると判定されるのは、本ステップに至るまでにステップＳ２０４で個人ＩＤが入力された場合である。個人ＩＤが既に入力されている場合（ステップＳ２１２でＹｅｓ）には、ステップＳ２１３に進み、そうでない場合（ステップＳ２１２でＮｏ）には、ステップＳ２１４に進む。
【００６８】
ステップＳ２１３において、登録部２４は、ステップＳ２０１で受信部２１が受信した通信パケット４０に含まれる体温データを、ステップＳ２０４で入力を受けた個人ＩＤにより識別される被験者Ｕの体温データとしてデータテーブルに登録する。なお、ステップＳ２０４で個人ＩＤと体温データとを紐付けてデータテーブルに登録した場合には、ステップＳ２１３での登録はなされなくてもよい。
【００６９】
ステップＳ２１４において、登録部２４は、ステップＳ２０１で受信部２１が受信した通信パケット４０に含まれる体温データを破棄する。
【００７０】
ステップＳ２１３又はＳ２１４の処理を終えたら、管理サーバ２０は、再びステップＳ２０１の処理を実行する。
【００７１】
図９は、本実施の形態に係る測定システム１によるバイタルデータである体温データの取得の流れを示す第一の模式図である。図９の（ａ）〜（ｄ）は、測定機１０による被験者Ｕの体温データの登録が完了する場合の流れを示している。
【００７２】
まず、図９の（ａ）に示されるように、被験者Ｕが測定機１０を装着する。このとき、測定機１０の送信部１３は、装着フラグ４３をＯＮにセットした通信パケット４０を生成し（図７のステップＳ１０２）、管理サーバ２０に送信する（図７のステップＳ１０５）。このとき、測定機１０の測定部１２は、被験者Ｕの体温データをまだ取得していないので、送信される通信パケット４０に体温データ４２は含められない。
【００７３】
送信された通信パケット４０は、管理サーバ２０の受信部２１により受信される。そして、入力部２２は、被験者Ｕの個人ＩＤの入力を受けるための入力欄５２を表示部２３に表示する。このタイミングから、入力部２２は、入力欄５２に対する個人ＩＤの入力の受け付けを始める。このとき、体温データがまだ取得されていないので、表示欄５３には体温データは表示されない。このようなときには、表示部２３は、体温データが計測中であることを示す文字列を表示欄５３に表示してもよい（図９の（ａ）参照）。
【００７４】
次に、図９の（ｂ）に示されるように、測定部１２による体温データの取得が完了する。このとき、測定機１０の送信部１３は、体温データ４２を含み、かつ、装着フラグ４３をＯＮにセットした通信パケット４０を生成し管理サーバ２０に送信する（図７のステップＳ１０５）。
【００７５】
送信された通信パケット４０は、管理サーバ２０の受信部２１により受信される。そして、入力部２２は、通信パケット４０に含まれている体温データを表示欄５３に表示する（図９の（ｂ）参照）。
【００７６】
次に、図９の（ｃ）に示されるように、管理スタッフＭによって入力欄５２に個人ＩＤの入力がなされる。管理スタッフＭは、測定機１０を装着している被験者Ｕを視認し、被験者Ｕの個人ＩＤを入力欄５２に入力する。なお、このとき、測定システム１内で複数の測定機１０が使用されることが想定される場合には、管理スタッフＭは、測定機１０が有するラベル１４を視認し、ラベル１４に記載された機器ＩＤと同一の機器ＩＤの入力欄５２に個人ＩＤを入力する。
【００７７】
次に、図９の（ｄ）に示されるように、被験者Ｕが測定機１０を取り外す。このとき、測定機１０の送信部１３は、装着フラグ４３をＯＦＦにセットした通信パケット４０を生成し（図７のステップＳ１１１）、管理サーバ２０に送信する（図７のステップＳ１０５）。
【００７８】
送信された通信パケット４０は、管理サーバ２０の受信部２１により受信される。そして、入力部２２は、表示部２３に表示していた入力欄５２及び表示欄５３を消去する。登録部２４は、被験者Ｕの体温データを登録する。このとき、表示部２３は、登録が完了した旨のメッセージ５６を表示してもよい（図９の（ｄ）参照）。
【００７９】
上記図９の（ａ）から（ｄ）までの一連の流れにより、被験者Ｕの体温データが、被験者Ｕの個人ＩＤと適切に紐付けられて管理サーバ２０に登録される。
【００８０】
図１０は、本実施の形態に係る測定システム１によるバイタルデータである体温データの取得の流れを示す第二の模式図である。図１０は、被験者Ｕの体温データの登録が完了しないことにより、体温データが登録されない場合を示している。
【００８１】
図９の（ｂ）の状態で、被験者Ｕが測定機１０を取り外すと、図１０の状態に至る。
【００８２】
図１０に示されるように、入力部２２に被験者Ｕの個人ＩＤが入力されていない状態で被験者Ｕが測定機１０を取り外すと、測定機１０の送信部１３は、装着フラグ４３をＯＦＦにセットした通信パケット４０を生成し（図７のステップＳ１１１）、管理サーバ２０に送信する（図７のステップＳ１０５）。
【００８３】
送信された通信パケット４０は、管理サーバ２０の受信部２１により受信される。そして、入力部２２は、表示部２３に表示していた入力欄５２及び表示欄５３を消去する。登録部２４は、被験者Ｕの体温データを破棄する。このとき、表示部２３は、体温データを破棄した旨のメッセージ５８を表示してもよい（図１０参照）。
【００８４】
（実施の形態の変形例）
本変形例では、入力部２２に入力すべき個人ＩＤを測定機により生成して入力部２２に提供する技術を説明する。
【００８５】
図１１は、本変形例に係る測定システム１Ａの機能構成を示すブロック図である。
【００８６】
測定システム１Ａは、測定機１０Ａと、管理サーバ２０Ａとを備える。
【００８７】
測定機１０Ａは、センサ１１と、測定部１２と、送信部１３と、ラベル１４と、固有情報取得部１５とを備える。測定機１０Ａは、固有情報取得部１５を備える点で、実施の形態１の測定機１０と異なる。
【００８８】
固有情報取得部１５は、被験者Ｕの固有情報を取得する処理部である。ここで、固有情報とは、被験者Ｕに固有の生体情報（具体的には、指紋、声紋、脈動パターンなど）、被験者Ｕの他人にあまり知られていない秘密情報（具体的には、家族又はペットの氏名、好きな食べ物など）などである。固有情報取得部１５が取得した固有情報は、送信部１３が生成する通信パケット４０に含められて管理サーバ２０Ａに送信される。
【００８９】
管理サーバ２０Ａは、受信部２１と、入力部２２と、表示部２３と、登録部２４と、個人ＩＤ生成部２５とを備える。
【００９０】
個人ＩＤ生成部２５は、被験者Ｕの個人ＩＤを生成する処理部である。個人ＩＤ生成部２５は、複数の被験者Ｕそれぞれの固有情報を予め保有している。また、個人ＩＤ生成部２５は、受信部２１が受信した通信パケット４０に含まれる固有情報を取得する。そして、固有情報取得部１５は、被験者Ｕから取得した固有情報を、保有している被験者Ｕの固有情報と照合することで、確かに被験者Ｕであることを認識する。そして、個人ＩＤ生成部２５は、被験者Ｕを示す個人ＩＤを生成し、生成した個人ＩＤを入力部２２に提供する。なお、個人ＩＤ生成部２５は、識別情報生成部に相当する。
【００９１】
図１２は、本変形例に係る個人ＩＤ生成部２５の処理を示すフロー図である。
【００９２】
ステップＳ３０１において、個人ＩＤ生成部２５は、被験者Ｕの固有情報を取得する。
【００９３】
ステップＳ３０２において、個人ＩＤ生成部２５は、予め保有している被験者Ｕの固有情報と、ステップＳ３０１で取得した被験者Ｕの固有情報とを照合する。照合の結果、確かに被験者Ｕであることが確認された場合、個人ＩＤ生成部２５は、個人ＩＤを生成する。
【００９４】
ステップＳ３０３において、個人ＩＤ生成部２５は、ステップＳ３０２で生成した個人ＩＤを入力部２２に提供する。
【００９５】
このようにすることで、測定システム１Ａは、管理スタッフＭが被験者Ｕを視認して入力欄５２に被験者Ｕの個人ＩＤを入力する手間を省くことができ、利便性が向上する。
【００９６】
以下、本発明の一態様に係る測定システム１の構成及び効果等について示す。
【００９７】
本発明の一態様に係る測定システム１は、測定機１０と管理サーバ２０とを備える測定システム１であって、測定機１０は、測定機１０が被験者Ｕに装着されているか否かを検出し、装着されているか否かを示すセンサ値を出力するセンサ１１と、被験者Ｕのバイタルデータを測定する測定部１２と、センサ１１が出力したセンサ値と、測定部１２が測定したバイタルデータとを管理サーバ２０に送信する送信部１３とを備え、管理サーバ２０は、送信部１３が送信したセンサ値とバイタルデータとを受信する受信部２１と、測定機１０が被験者Ｕに装着されていることを、受信部２１が受信したセンサ値が示す場合に、測定機１０を装着している被験者Ｕを示す識別情報の入力を待ち受ける入力部２２と、入力部２２が識別情報の入力を受けたとき、受信部２１が受信したバイタルデータを、入力部２２が入力を受けた識別情報により示される被験者Ｕのバイタルデータとして登録する登録部２４とを備える。
【００９８】
これによれば、測定システム１は、被験者Ｕのバイタルデータの測定がなされた後に、バイタルデータが測定された被験者Ｕの識別情報の入力を得ることができる。入力部２２がこのように被験者Ｕの個人ＩＤの入力を待ち受けることで、管理スタッフＭは、被験者Ｕの個人ＩＤの入力をしなければならないという動機付けを得る。このようにして、測定システム１は、バイタルデータと被験者Ｕとの紐付けをより適切に行うことができる。
【００９９】
また、入力部２２は、表示部２３を有し、識別情報の入力を待ち受ける際に、識別情報が入力される入力欄を表示部２３に表示し、表示した入力欄に対する識別情報の入力を受けるまで待機してもよい。
【０１００】
これによれば、測定システム１は、被験者Ｕのバイタルデータの測定がなされた後に、管理スタッフＭが被験者Ｕの個人ＩＤを入力しなければ、その先の作業に進めない状況を作り出す。そこで、管理スタッフＭは、被験者Ｕの個人ＩＤを入力部２２に入力することによって、登録部２４によるバイタルデータの登録をさせ、次の被験者Ｕのバイタルデータの取得に進む。このようにして、測定システム１は、バイタルデータと被験者Ｕとの紐付けをより適切に行うことができる。
【０１０１】
また、登録部２４は、さらに、入力部２２が識別情報の入力を待ち受けているときに、受信部２１が受信した新たなセンサ値が、測定機１０が被験者Ｕに装着されていないことを示す場合に、受信部２１が受信したバイタルデータを破棄してもよい。
【０１０２】
これによれば、測定システム１は、どの被験者Ｕから測定されたものであるか不明確になったバイタルデータを登録することなく破棄することで、適切な対応付けが不可能になったバイタルデータを処分する。これにより、測定システム１は、バイタルデータと被験者Ｕとの紐付けをより適切に行うことができる。
【０１０３】
また、登録部２４は、入力部２２が識別情報の入力を受けた後に、受信部２１が受信した新たなセンサ値が、測定機１０が被験者Ｕに装着されていないことを示す場合に、受信部２１が受信したバイタルデータを登録してもよい。
【０１０４】
これによれば、測定システム１は、管理スタッフＭによる明示的な入力操作を要することなく、被験者Ｕのバイタルデータを登録することができる。このようにして、測定システム１は、管理スタッフＭによる明示的な入力操作を省くことができ、利便性が向上する。
【０１０５】
また、測定システム１は、複数の測定機１０を備え、複数の測定機１０の送信部１３は、当該測定機１０の識別子を、センサ値とバイタルデータとともに管理サーバ２０に送信し、受信部２１は、複数の測定機１０の送信部１３が送信したセンサ値とバイタルデータと識別子とを受信し、入力部２２は、識別情報の入力を待ち受ける際に、識別情報が入力される入力欄に対応付けて識別子を表示部２３に表示してもよい。
【０１０６】
これによれば、測定システム１は、複数の測定機１０の使用が想定される場合に、測定機１０を取り違えることなく測定機１０により測定された被験者Ｕを特定し、その被験者Ｕのバイタルデータを登録することができる。
【０１０７】
また、測定機１０Ａは、さらに、被験者Ｕの固有情報を取得する固有情報取得部１５を備え、送信部１３は、固有情報取得部１５が取得した固有情報を、センサ値とバイタルデータとともに管理サーバ２０に送信し、受信部２１は、センサ値とバイタルデータとともに、固有情報を受信し、管理サーバ２０Ａは、さらに、受信部２１が受信した固有情報から被験者を示す識別情報を生成し、生成した識別情報を入力部２２に提供する個人ＩＤ生成部２５とを備えてもよい。
【０１０８】
これによれば、測定システム１Ａは、管理スタッフＭが被験者Ｕを視認して入力欄５２に被験者Ｕの個人ＩＤを入力する手間を省くことができ、利便性が向上する。
【０１０９】
本発明の一態様に係る測定システム１の制御方法は、測定機１０と管理サーバ２０とを備える測定システム１の制御方法であって、測定機１０により、測定機１０が被験者Ｕに装着されているか否かを検出し、装着されているか否かを示すセンサ値を出力する出力ステップと、測定機１０により、被験者Ｕのバイタルデータを測定する測定ステップと、測定機１０により、出力ステップで出力されたセンサ値と、測定ステップで測定されたバイタルデータとを管理サーバ２０に送信する送信ステップと、管理サーバ２０により、送信ステップで送信されたセンサ値とバイタルデータとを受信する受信ステップと、測定機１０が被験者Ｕに装着されていることを、受信ステップで受信したセンサ値が示す場合に、測定機１０を装着している被験者Ｕを示す識別情報の入力を待ち受ける入力ステップと、入力ステップで識別情報の入力を受けたとき、受信ステップで受信したバイタルデータを、入力ステップで入力を受けた識別情報により示される被験者Ｕのバイタルデータとして登録する登録ステップとを含む。
【０１１０】
これによれば、上記測定システム１と同様の効果を奏する。
【０１１１】
（その他）
以上、本発明に係る測定システムについて、上記実施の形態に基づいて説明したが、本発明は、上記の実施の形態に限定されるものではない。
【０１１２】
なお、上記実施の形態に係る包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム又は記録媒体の任意の組み合わせで実現されてもよい。
【０１１３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１４】
１、１Ａ    測定システム
１０、１０Ａ    測定機
１１    センサ
１２    測定部
１３    送信部
１５    固有情報取得部
２０、２０Ａ    管理サーバ
２１    受信部
２２    入力部
２３    表示部
２４    登録部
２５    個人ＩＤ生成部
４２    体温データ（バイタルデータ）
５２    入力欄
Ｕ    被験者
【図１】
2018134220.tif 000003
【図２】
2018134220.tif 000004
【図３】
2018134220.tif 000005
【図４】
2018134220.tif 000006
【図５】
2018134220.tif 000007
【図６】
2018134220.tif 000008
【図７】
2018134220.tif 000009
【図８】
2018134220.tif 000010
【図９】
2018134220.tif 000011
【図１０】
2018134220.tif 000012
【図１１】
2018134220.tif 000013
【図１２】
2018134220.tif 000014